(57)【要約】【課題】  ＩＣタグを含む認証用添付具を添付してある美術作品について、データベースへの登録情報を、アクセスの態様に応じて異なる範囲で閲覧可能にする。【解決手段】  美術作品１には、ＩＣタグ３を含むＩＣタグラベル４や認証ラベル１２を添付する。認証ラベル１２には、シリアル番号が表示され、認証機関１０がインターネット１１上に開設するＷｅｂサイトにアクセスしてシリアル番号を入力すると、美術作品１について、ＤＢ２に登録されている情報のうち、予め許可される範囲を閲覧することができる。シリアル番号の入力は、カメラ付携帯電話機９で認証ラベル１２を撮像して、画像を送付することによっても可能とする。リーダ６でＩＣタグ３に記憶されている情報を読取ってアクセスするときは、その美術作品１についてＤＢ２に登録されている全情報の閲覧を可能にする。【選択図】      図１
2005063255.tif 000002
【特許請求の範囲】
【請求項１】
認証対象の美術品について、予め設立されている認証機関が、認証用識別情報が記憶されているＩＣタグを含む認証用添付具と、該認証用識別情報が表示されている認証ラベルとを発行し、該美術品の画像、制作関係者、および制作状況を含む情報を、該認証用識別情報に対応付けて、情報通信ネットワーク上のサイトに開設するデータベースに登録しておき、該データベースへのアクセスが、認証用添付具のＩＣタグからの認証用識別情報の読出しに基づいて行われるときには、該データベースへの登録内容を閲覧可能として、該美術作品が真作であることを認証する美術作品認証方法において、
該データベースへのアクセスが、認証用識別情報のうちの予め定める部分を含む入力に基づいて行われるときには、該データベースへの登録内容のうち、予め選択される範囲を閲覧可能とすることを特徴とする美術作品認証方法。
【請求項２】
前記データベースへのアクセスは、カメラ付携帯電話機で、前記認証ラベルを撮像し、前記認証用識別情報の画像を該データベースを開設するサイトに送付することによっても可能であることを特徴とする請求項１記載の美術作品認証方法。
【請求項３】
前記情報通信ネットワーク上のサイトには、前記データベースに登録されている美術品の画像が一覧表示され、該表示の閲覧者が画像を選択すると、該画像に対応する美術品について、該データベースに登録されている情報のうち、予め選択されている情報が表示することを特徴とする請求項１または２記載の美術作品認証方法。
【発明の詳細な説明】
【技術分野】
【０００１】
本発明は、版画、ポスター、写真、絵画などの美術作品が真作であることを認証するための美術作品認証方法に関する。
【背景技術】
【０００２】
従来から、版画や絵画などの美術作品では、真作か否かが問題になる。本件出願人は、美術作品に個別の識別情報を記憶したＩＣタグを添付し、ＩＣタグに記憶されている情報に基づいてインターネット上に開設するＷｅｂサイトにアクセスすれば、その美術作品についての登録情報が閲覧可能となって、その美術作品が登録されている真作であることが判るという物品の認証方法および認証用添付具を提案している（たとえば、特許文献１参照）。また、提案内容に沿うＷｅｂサイトも運用を開始している（たとえば、非特許文献１参照）。
【０００３】
【特許文献１】特開２００３−１１２８２５号公報
【非特許文献１】Japan Art Academy Association "ICarus"、［online］、平成１５年４月１日、日本アートアカデミー協会（ＮＰＯ法人）、［平成１５年６月１６日検索］、インターネット<URL : http://www.jaaa.or.jp>
【発明の開示】
【発明が解決しようとする課題】
【０００４】
非特許文献１のＷｅｂサイトが開設されてみると、美術作品についての登録内容を閲覧して、その美術作品が真作であることを確認するためには、１６桁のシリアル番号を入力し、「ICarus」という名称のページに進んで、基本登録データ等にアクセスする必要があるけれども、１６桁のシリアル番号の入力は、必ずしも容易ではないことが判る。また、ＩＣタグのリーダをＰＤＡ（Personal Digital Assistant）に接続し、ＰＤＡからＷｅｂサイトにアクセスすると、自動的にその美術作品についての登録情報が表示されて、真作であることも確認されるけれども、シリアル番号を入力するだけでも、同じ情報を知ることができる。登録情報には、一般には公開しない情報も含まれるので、シリアル番号は、セキュリティも考慮して、少なくとも部分的に暗号化され、多くの桁数から構成されている。
【０００５】
美術作品について、簡単な情報を知るためだけに多くの桁数のシリアル番号を入力するのは閲覧者にとって負担である。また、ＩＣタグが添付されている美術作品自体を保持して、リーダでＩＣタグのから情報を読取ってアクセスする利用者は、単にシリアル番号を入力する利用者よりも詳細な情報を得られるようにすべきである。
【０００６】
本発明の目的は、ＩＣタグを含む認証用添付具を添付してある美術作品について、データベースへの登録情報を、アクセスの態様に応じて異なる範囲で閲覧可能にする美術作品認証方法を提供することである。
【課題を解決するための手段】
【０００７】
本発明は、認証対象の美術品について、予め設立されている認証機関によって発行され、認証用添付具に含まれるＩＣタグから認証用識別情報を読出してデータベースにアクセスするときと、を含む認証用添付具と、該認証用識別情報が表示されている認証ラベルとを発行し、該美術品の画像、制作関係者、および制作状況を含む情報を、該認証用識別情報に対応付けて、情報通信ネットワーク上のサイトに開設するデータベースに登録しておき、該データベースへのアクセスが、認証用添付具のＩＣタグからの認証用識別情報の読出しに基づいて行われるときには、該データベースへの登録内容を閲覧可能として、該美術作品が真作であることを認証する美術作品認証方法において、
該データベースへのアクセスが、認証用識別情報のうちの予め定める部分を含む入力に基づいて行われるときには、該データベースへの登録内容のうち、予め選択される範囲を閲覧可能とすることを特徴とする美術作品認証方法である。
【０００８】
本発明に従えば、予め設立されている認証機関が認証用添付具と認証ラベルとを発行する。認証用添付具には、ＩＣタグが含まれ、シリアル番号などの認証用識別情報が記憶される。認証用識別情報は認証ラベルにも表示される。認証用添付具および認証ラベルは、認証の対象となる美術作品に添付される。認証の対象となる美術作品について、画像、制作関係者、および制作状況を含む情報が認証用識別情報に対応付けて、情報通信ネットワーク上のサイトに開設するデータベースに登録される。この登録情報には、認証用添付具のＩＣタグからの認証用識別情報の読出しに基づいてアクセス可能となるので、認証用添付具が添付されている美術作品に接近して、リーダでＩＣタグから記憶情報の読出しが可能な利用者は、データベースに登録されている情報を閲覧して、画像、制作関係者、および制作状況等を確認することができる。
【０００９】
認証ラベルに表示される認証用識別情報のうちの予め定める部分を含む情報を入力してデータベースへのアクセスが行われるときには、データベースへの登録内容のうち、予め選択される範囲の情報が閲覧可能となるので、美術作品から離れていても、認証用識別情報のうちの予め定める部分さえ入力すれば、登録内容の少なくとも一部は閲覧可能となり、美術作品についての情報を得ることができる。認証ラベルに表示されている認証用識別情報のみの入力に基づく閲覧に対しては、公開する情報の範囲を制限することもできるので、美術作品を手元に有する利用者へのような詳細な情報の提示を避けることができる。美術作品について必ずしも広く公開したくないような情報は、認証用識別情報の入力のみでは閲覧できないようにすることが可能なので、制限された情報の開示のために必要な認証用識別情報の入力を美術作品の特定に必要な程度に簡易化し、容易に入力可能なようにすることもできる。
【００１０】
また本発明で、前記データベースへのアクセスは、カメラ付携帯電話機で、前記認証ラベルを撮像し、前記認証用識別情報の画像を該データベースを開設するサイトに送付することによっても可能であることを特徴とする。
【００１１】
本発明に従えば、利用者がカメラ付携帯電話機を所持し、認証ラベルが貼付けられている美術作品を見て、認証ラベルの部分を撮像して、認証用識別情報の画像をデータベースを開設するサイトに送付すると、サイト側で認証用識別情報を画像から認識し、認識した認証用識別情報に基づいて、美術作品についてのデータベースへの登録情報を閲覧可能にする。利用者は、認証用識別情報をキーボードなどから入力する必要はなく、容易に登録情報にアクセスすることができる。認証用識別情報として、バーコードなど、カメラ付携帯電話機、通常のＰＤＡやパーソナルコンピュータでは入力することができないような情報を使用することもできる。
【００１２】
また本発明で、前記情報通信ネットワーク上のサイトには、前記データベースに登録されている美術品の画像が一覧表示され、該表示の閲覧者が画像を選択すると、該画像に対応する美術品について、該データベースに登録されている情報のうち、予め選択されている情報が表示することを特徴とする。
【００１３】
本発明に従えば、利用者が美術品の画像の一覧表示を見て、さらに詳しい情報を知りたい画像を選択すると、データベースに登録されている情報のうちで予め選択されている情報が表示されるので、データベースに登録されている美術作品を、情報通信ネットワークを通して、広範囲に紹介することができる。
【発明の効果】
【００１４】
以上のように本発明によれば、予め設立されている認証機関が認証用添付具と認証ラベルとを発行する。認証用添付具に含まれるＩＣタグには認証用識別情報が記憶され、認証用添付具が添付されている美術作品に接近して、リーダでＩＣタグから記憶情報の読出しが可能な利用者は、データベースに登録されている情報を閲覧して、画像、制作関係者、および制作状況等を確認することができる。認証ラベルに表示される認証用識別情報を入力してデータベースへのアクセスも可能であるけれども、閲覧可能な情報は制限することができる。ＩＣタグを含む認証用添付具を添付してある美術作品について、データベースへの登録情報を、アクセスの態様に応じて異なる範囲で閲覧可能にすることが可能なので、認証用識別情報の入力は簡易化し、容易に入力可能なようにすることもできる。
【００１５】
また本発明によれば、利用者はカメラ付携帯電話機で認証ラベルの部分を撮像して、容易に登録情報にアクセスすることができ、認証用識別情報としても、バーコードなど、カメラ付携帯電話機などでは、直接入力することができないような情報を使用することもできる。
【００１６】
また本発明によれば、データベースに登録されている美術作品を、情報通信ネットワークを通して、広範囲に紹介することができる。
【発明を実施するための最良の形態】
【００１７】
図１は、本発明の実施の一形態である美術作品認証方法を実現するための概略的なシステム構成を示す。版画や書画、ポスター、写真などの美術作品１についての各種情報は、個々の美術作品１を特定するための情報を含む認証用識別情報に対応して、データベース２に登録される。データベース２に登録される情報のうち、認証用識別情報としてのシリアル番号や、作者名、作品名、および作者の何番目の作品であるかを示すタイトル番号などの関連情報は、ＩＣタグ３に記憶される。ＩＣタグ３は、たとえば数１０ｍｍ程度の大きさのアンテナとＩＣチップとを含み、外部のリーダからの電波をアンテナが受信すると、アンテナから、たとえば数１００ＧＨｚ帯の無線電波で電力を供給してＩＣチップに記憶されている情報をリーダに読取らせることができ、ＩＣタグラベル４に装着されており、美術作品１で、たとえば作者のサインがある部分の裏側や、周縁部などに直接貼付けられる。ＩＣタグラベル４の上には、さらに脆弱ラベル５を半分重ねるように貼付ける。脆弱ラベル５は、剥がそうとすると簡単に破れてしまうラベルであり、脆弱ラベル５が健全であれば、ＩＣタグラベル４は貼替えられていないことが判る。
【００１８】
ＩＣタグラベル４の貼替えを防ぐことは、美術作品１が真作であることを証明する上で重要である。ＩＣタグラベル４を美術作品１の真作に貼付けても、貼替えが可能であれば、美術作品１から剥がされて、真作でない作品に貼付けられ、その作品が真作であると主張されてしまうおそれがあるからである。ＩＣタグラベル４の貼替えを防ぐためには、ＩＣタグラベル４自体に脆弱性を持たせることもできる。たとえば、ＩＣタグラベル４のＩＣチップとアンテナとの間やアンテナを切れやすくしておき、ＩＣタグラベル４と美術作品１との接着力を強くしておいて、最初に貼付けた美術作品１からＩＣタグラベル４を剥がすと、ＩＣタグ３としての機能が損われやすいようにしておくことができる。このような接着力が強いＩＣタグラベル４の接着面には、比較的剥がしやすいセパレータを貼付けておいて、セパレータを剥がして美術作品１に貼付けるようにすればよい。
【００１９】
ＩＣタグ３に記憶されている情報は、リーダ６で読取ることができる。リーダ６は、ＩＣタグ３から読取った認証用識別情報を表示することができる。リーダ６は、ＵＳＢ（
Universal Serial Bus）などの有線式のインタフェースや、Bluetooth などの無線式のインタフェースを介して、ＰＤＡ７や、ノート型パーソナルコンピュータ８などの情報端末装置に接続される。これらの報端末装置は、認識用識別情報に基づいて、ＤＢ２に登録されている特定の美術作品１についての情報にアクセスすることができる。カメラ付携帯電話機９を利用することもできる。
【００２０】
認証用識別情報の美術作品１への割当や、ＩＣタグ３を含むＩＣタグラベル４、脆弱ラベル５の発行は、認証機関１０によって行われる。認証機関１０は、インターネット１１などの公開された情報通信ネットワーク上に、ＤＢ２の登録内容を閲覧可能にするＷｅｂサイトを開設する。認証機関１０は、認証用識別情報であるシリアル番号を表示した認証ラベル１２も発行する。美術作品１に関してＤＢ２に登録されている情報の閲覧は、リーダ６でＩＣタグ３から認識用識別情報を読込んで、ＰＤＡ７を介してインターネット１１上に開設されている認証機関１０のＷｅｂサイトにアクセスすることによって可能となる。ＰＤＡ７には、ＤＢ２に登録されている情報を、ＩＣタグ３から読取る認証用識別情報に基づいて検索するプログラムが予め用意しておく。カメラ付携帯電話機９で認証ラベル１２を撮像して、表示されているシリアル番号などを読取るときも、読取ったシリアル番号などに基づいて、ＤＢ２にアクセスし、シリアル番号によって特定される美術作品１に関する情報が得られるようにしておく。
【００２１】
図２は、図１のＤＢ２とＩＣタグ３との間で情報の伝達を行う構成を示す。ＩＣタグ３は、無線タグやＲＦＩＤなどと呼ばれる非接触型のマイクロ波ＩＤシステム用のデバイスであり、ＩＣチップ２０とアンテナ２１とを含む。ＩＣチップ２０には、送受信制御回路２２、電源回路２３、およびフラッシュメモリなどの不揮発性のメモリ２４が形成される。メモリ２４には、認証用識別情報であるシリアル番号を記憶するシリアル番号記憶部２５や美術作品１についての主要な情報を記憶する作品情報記憶部２６が設けられる。リーダ６が所定の周波数の電波を発信し、アンテナ２１がその電波を受信すると、アンテナ２１に誘起される高周波信号は整流され、電源回路２３からＩＣチップ２０上の他の部分に供給されて、電気的な動作が可能になる。送受信制御回路２２は、メモリ２４のシリアル番号記憶部２５に記憶されているシリアル番号や作品情報記憶部２６に記憶されている作品情報を、リーダ６に返信する。
【００２２】
リーダ６は、ＣＰＵ３０、アンテナ３１、送受信回路３２、メモリ３３、表示器３４、入力部３５、インタフェース３６および電源３７を備える。ＣＰＵ３０は、メモリ３３のＲＯＭなどに予め格納されているプログラムに従って、入力部３５への操作に応じてＩＣタグ３からの情報の読取りを行うことができる。ＩＣタグ３から読み取られるシリアル番号などの情報は、表示器３４に表示される。リーダ６は、インタフェース３６に接続されるＵＳＢケーブル３８などの有線式伝送線を介して、ノート型パーソナルコンピュータ８などにＩＣタグ３から読取った情報を伝送する。
【００２３】
ノート型パーソナルコンピュータ８やデスクトップ型パーソナルコンピュータなどの情報端末装置は、ＣＰＵ４０やメモリ４１などの半導体情報処理回路や、ハードディスク４２などの情報記憶装置、表示器４３やキーボード４４などの入出力装置を備えている。また、情報端末装置を操作する利用者個人の認証を行うために、指紋検出器４５なども備える。個人認証は、指紋ばかりではなく、網膜パターンや声紋、手書サイン、顔面画像などに基づいて行うようにすることもできる。網膜パターンや声紋による個人認識を可能にするためには、指紋検出器４５に替えて、それらの情報を入力可能な機器を使用すればよい。手書サインや顔面画像などは、カメラなどの撮像装置を使用して画像を入力すればよい。さらに、リーダ６に接続するためのインタフェース４６や、インターネット１１に接続するためのモデム４７なども備えられる。
【００２４】
認証機関１０は、サーバ装置５０を備え、Ｗｅｂサイトを運営する。サーバ装置５０は、通信インタフェース５１を介してインターネット１１に接続され、記憶装置５２に美術作品１について登録されている情報を、アクセスの対応に応じて公開する。サーバ装置５０は、特定の利用者についての個人認識用の情報も記憶装置５２に登録しておき、指紋検出器４５などの個人認識用の機器からの情報が入力されると、登録されている利用者か否かを判断し、登録されている利用者に対しては、たとえば美術作品１の新たな登録や、美術作品１の所有者の変動などの事項を登録可能可能にする。
【００２５】
図３は、ある美術作品１について、認証機関１０で登録を行う概略的な手順を示す。ステップａ０から手順が開始され、ステップａ１では美術作品１の制作が行われる。ステップａ２では、後述するような情報を提示して、認証機関１０に対する認証依頼が行われる。認証依頼は、制作者などが予め登録を受けていれば、インターネット１１を介して行うことができる。ステップａ３では、認証機関１０からシリアル番号などの認証用識別情報であるＩＤが付与される。ステップａ４では、シリアル番号で検索可能なように、ＤＢ２への情報の登録が行われる。ステップａ５では、シリアル番号や作品情報をＩＣタグ３に書込んだＩＣタグラベル４、脆弱ラベル５、およびシリアル番号を表示した認証ラベル１２を認証依頼者に対して発行する。ステップａ６では、認証依頼者が、ＩＣタグラベル４および脆弱ラベル５と、認証ラベル１２とを、美術作品１にそれぞれ装着し、ステップａ７で手順を終了する。
【００２６】
図４は、認証機関１０が図１のＤＢ２に登録されている情報を利用者に対して閲覧する概略的な手順を示す。ステップｂ０から手順を開始し、ステップｂ１では、ホームページとしての表示を行う。ホームページ中には、美術作品の一覧表示の指示やシリアル番号の入力用の場所を設けておく。ステップｂ２では、美術作品の一覧表示の指示があるか否かを判断する。利用者からの指示は、マウスなどのポインティングデバイスの操作による画面へのクリックで行う。一覧表示が指示されるときは、ステップｂ３で、ＤＢ２に登録されている美術作品１の画像を、たとえば一定数を１ページ分として、登録順などで一覧表示する。ステップｂ４では、他のページの一覧表示に移るか否かの指示がなされたか否かを判断し、指示があればステップｂ５で他のページを表示して、ステップｂ３に戻る。ステップｂ４で他のページへの指示が無いと判断するときは、ステップｂ６で特定の画像がクリックで選択されたか否かを判断する。ステップｂ６で特定の画像についての指示があれば、ステップｂ７でその画像の美術作品１に関し、ＤＢ２に登録されている作品情報のうち、登録者が閲覧を許可する範囲について表示を行う。この表示画面には、再度一覧表示に戻るアイコンが設けられ、そのアイコンがクリックされれば、ステップｂ３に戻る。終了用のアイコンを設けておいて、表示を終了させることもできる。ステップｂ６で画像指示がなければ、ステップｂ３に戻る。
【００２７】
ステップｂ２で一覧表示指示がなされないときは、ステップｂ８でシリアル番号の入力が行われているか否かを判断する。シリアル番号が入力されるときは、ステップｂ９でシリアル番号の照合を行う。シリアル番号はたとえば１６桁であり、認証ラベル１２に表示されている。ステップｂ９でシリアル番号に合致した美術作品１がＤＢ２に登録されていると判断されれば、ステップｂ１０でそのシリアル番号の美術作品１に関し、ＤＢ２に登録されている情報のうち、登録者が閲覧を許可する範囲について表示を行う。この表示画面には、再度ホームページに戻るアイコンが設けられ、そのアイコンがクリックされれば、ステップｂ１に戻る。終了用のアイコンを設けておいて、表示を終了させることもできる。
【００２８】
ステップｂ８でシリアル番号の入力がないと判断されるときには、ステップｂ１１でカメラ付携帯電話機９を介するアクセスであるか否かを判断する。カメラ付携帯電話機９からのアクセスであると判断するときは、ステップｂ１２で認証ラベル１２の画像が受信されているか否かを判断する。認証ラベル１２の画像が受信されていれば、ステップｂ１３で認証ラベル１２が真正なものであるか否かを画像の解像度の範囲で判断し、真正であると判断するときには、ステップｂ１４で認証ラベル１２の画像に含まれるシリアル番号について画像認識を行い、認識されたシリアル番号でステップｂ９に進む。
【００２９】
ステップｂ１１でカメラ付携帯電話機９からのアクセスではないと判断するときは、ステップｂ１５でリーダ６によるＩＣタグ３の読取りに基づくアクセスか否かを判断する。リーダ６によるＩＣタグ３の読取りに基づくアクセスであると判断されるときは、ステップｂ１６で、ＩＣタグ３に記憶されているシリアル番号に対応してＤＢ２に登録されている全情報を読出し、利用者に閲覧させる。利用者が閲覧を終了する指示を行うと、ステップｂ１に戻る。
【００３０】
図５、図６および図７は、美術作品１について、ＤＢ２に登録するデータの例を示す。図５は美術作品１についての基本登録データを示す。「技法」の欄のうち、「本画」は、書画など、１品制作を基本とする作品を示す。「版画」は、複数枚を同時に制作する作品を示す。図６は作家詳細データを示し、図７は制作工房データを示す。
【００３１】
「※」を付してある項目は、必須項目であり、何らかの情報を登録するようにする。また、図３のステップｂ７やステップｂ１０の表示でも必ず表示するようにする。他の項目は必要に応じて登録することが可能であり、公開レベルも設定することができる。公開レベルは、図４のステップｂ７のような一覧表示後のクリック操作に基づく公開や、ステップｂ１０のようなシリアル番号の入力に基づく公開では、閲覧可能にしないことを設定する。なお、カメラ付携帯電話機９で認証ラベル１２を読込むときのアクセスに対しては、単にシリアル番号を入力する場合と異なる公開レベルとするように、チェック欄を別に設けることもできる。
【００３２】
利用者がカメラ付携帯電話機９を所持し、認証ラベル１２が貼付けられている美術作品１を見て、認証ラベル１２の部分を撮像して、シリアル番号を含む画像を、ＤＢ２を開設する認証機関１０のサイトに送付すると、サイト側でシリアル番号を画像から認識し、認識したシリアル番号に基づいて、美術作品１についてのＤＢ２への登録情報を閲覧可能にする。利用者は、シリアル番号をキーボードなどから入力する必要はなく、容易に登録情報にアクセスすることができる。シリアル番号して、バーコードなど、カメラ付携帯電話機９や、通常のＰＤＡ７やパーソナルコンピュータでは入力することができないような情報を使用することもできる。
【００３３】
図４のステップｂ３の一覧表示では、作家や制作工房を指定して、関連する美術作品を選択して表示させるようにしてもよい。作家や制作工房の指定は、それぞれを一覧表示して、選択させるようにしてもよく、また予め識別番号などを与えておいて、識別番号の入力に基づいて行うようにしてもよい。
【図面の簡単な説明】
【００３４】
【図１】本発明の実施の一形態である美術作品認証方法を実現するための概略的なシステム構成を示すブロック図である。
【図２】図１のＤＢ２とＩＣタグ３との間で情報の伝達を行う構成を示すブロック図である。
【図３】図１の認証機関１０が美術作品１について登録を行う概略的な手順を示すフローチャートである。
【図４】図１の認証機関１０がＤＢ２に登録されている情報を利用者に対して閲覧する概略的な手順を示すフローチャートである。
【図５】図１の美術作品１についての基本登録データを示す図表である。
【図６】図１のＤＢ２に登録する作家詳細データを示す図表である。
【図７】図１のＤＢ２に登録する制作工房データを示す図表である。
【符号の説明】
【００３５】
１  美術作品
２  ＤＢ
３  ＩＣタグ
４  ＩＣタグラベル
５  脆弱ラベル
６  リーダ
７  ＰＤＡ
８  ノート型パーソナルコンピュータ
９  カメラ付携帯電話機
１０  認証機関
１１  インターネット
１２  認証ラベル
２０  ＩＣチップ
２１，３１  アンテナ
２４，３３，４１  メモリ
２５  シリアル番号記憶部
２６  作品情報記憶部
４５  指紋検出器
５０  サーバ
５２  記憶装置
【図１】
2005063255.tif 000003
【図２】
2005063255.tif 000004
【図３】
2005063255.tif 000005
【図４】
2005063255.tif 000006
【図５】
2005063255.tif 000007
【図６】
2005063255.tif 000008
【図７】
2005063255.tif 000009